(57)【要約】  【課題】２つの光源のいずれを用いて記録を行う場合でも、光パワーを適正に制御して安定した記録特性が得られるようにする。  【解決手段】青色ＬＤ１１により光ディスク１に情報を記録する場合は、赤色ＬＤ２１により記録情報の後追い再生を行い、赤色光再生信号の平均値を平均値検出部３２により検出する。ＣＰＵ３５は、この平均値に基づいて青色ＬＤ１１のパワーを制御する。赤色ＬＤ２１により光ディスク１に情報を記録する場合は、青色ＬＤ１１により記録情報の後追い再生を行い、青色光再生信号のエンベロープピーク値、エンベロープボトム値および平均値をピーク検出部３１、ボトム検出部３３および平均値検出部３２によりそれぞれ検出する。ＣＰＵ３５は、これらの値からアシンメトリ値を算出し、このアシンメトリ値に基づいて赤色ＬＤ２１のパワーを制御する。【選択図】  図１
2006066032.tif 000002
【特許請求の範囲】
【請求項１】
光ビームの照射により光ディスクに情報を記録する装置であって、光ディスクに対して光ビームを照射する第１の発光素子と、光ディスクで反射した第１の発光素子の光ビームを検出する第１の光検出素子と、光ディスクに対して第１の発光素子とは異なる波長の光ビームを照射する第２の発光素子と、光ディスクで反射した第２の発光素子の光ビームを検出する第２の光検出素子とを有する光記録装置において、
前記第１の光検出素子の出力に基づいて得られる第１の再生信号のエンベロープピーク値を検出するピーク検出部と、
前記第１の再生信号のエンベロープボトム値を検出するボトム検出部と、
前記第１の再生信号の平均値を検出するとともに、前記第２の光検出素子の出力に基づいて得られる第２の再生信号の平均値を検出する平均値検出部と、
前記ピーク検出部、ボトム検出部および平均値検出部からの各出力をＡ／Ｄ変換するＡ／Ｄ変換部と、
前記Ａ／Ｄ変換部からの出力に基づいて、前記第１および第２の発光素子の光ビームのパワーを制御する制御手段とを備え、
前記第１の発光素子の光ビームにより光ディスクに情報を記録する場合は、当該情報を記録した後、前記第２の発光素子の光ビームを光ディスクに照射して記録情報の後追い再生を行い、前記第２の再生信号の平均値を前記平均値検出部により検出し、前記制御手段は、検出された平均値に基づいて前記第１の発光素子の光ビームのパワーを制御し、
前記第２の発光素子の光ビームにより光ディスクに情報を記録する場合は、当該情報を記録した後、前記第１の発光素子の光ビームを光ディスクに照射して記録情報の後追い再生を行い、前記第１の再生信号のエンベロープピーク値、エンベロープボトム値および平均値を前記ピーク検出部、ボトム検出部および平均値検出部によりそれぞれ検出し、前記制御手段は、検出されたエンベロープピーク値、エンベロープボトム値および平均値に基づいてアシンメトリ情報を算出し、この算出されたアシンメトリ情報に基づいて前記第２の発光素子の光ビームのパワーを制御することを特徴とする光記録装置。
【請求項２】
光ビームの照射により光ディスクに情報を記録する装置であって、光ディスクに対して光ビームを照射する第１の発光素子と、光ディスクに対して第１の発光素子とは異なる波長の光ビームを照射する第２の発光素子とを有する光記録装置において、
前記第１の発光素子の光ビームにより光ディスクに情報を記録する場合は、当該情報を記録した後、前記第２の発光素子の光ビームを光ディスクに照射して記録情報の後追い再生を行い、当該再生信号の平均値を検出して、この検出された平均値に基づいて前記第１の発光素子の光ビームのパワーを制御し、
前記第２の発光素子の光ビームにより光ディスクに情報を記録する場合は、当該情報を記録した後、前記第１の発光素子の光ビームを光ディスクに照射して記録情報の後追い再生を行い、当該再生信号のエンベロープピーク値、エンベロープボトム値および平均値に基づいてアシンメトリ情報を算出し、この算出されたアシンメトリ情報に基づいて前記第２の発光素子の光ビームのパワーを制御することを特徴とする光記録装置。
【発明の詳細な説明】
【技術分野】
【０００１】
本発明は、発光素子から照射される光ビームによりより光ディスクに情報を記録する光記録装置に関し、特に、複数の発光素子を備えた光記録装置に関するものである。
【背景技術】
【０００２】
ＣＤ−Ｒ、ＣＤ−ＲＷ、ＤＶＤ−Ｒ、ＤＶＤ−ＲＡＭのような記録型光ディスクにレーザ光で情報を記録する光記録装置は、光ディスクドライブやＤＶＤレコーダ等として既に実用に供されている。例えばＤＶＤレコーダにおいては、一般にレーザ光源として赤色レーザダイオード（以下「赤色ＬＤ」と記す）が用いられてきたが、最近では、光ビーム径の細い青色レーザダイオード（以下「青色ＬＤ」と記す）を用いて大量の情報を記録できるブルーレイ・ディスクや、ＨＤ−ＤＶＤなどのメディアが登場し、従来のＤＶＤとブルーレイ・ディスク等の両メディアに対応したレコーダも実用化されている。このような装置においては、赤色ＬＤと青色ＬＤとをレーザ光源とする光ピックアップが搭載される。
【０００３】
２つの光源を備えた光記録装置は、例えば下記の特許文献１〜６に記載されている。特許文献１の装置では、一方の光源で記録・再生を行っている間に、他方の光源のモニタ素子により光ピックアップ内の温度を検出し、この検出結果に基づいて一方の光源による記録・再生動作を制御するようにしている。特許文献２の装置では、メインビームにより記録されたデータをサブビームを用いて読み取り、その結果からデータの記録状態を検出して光ビームの発光出力を制御するようにしている。特許文献３の装置では、記録用ビームと再生用ビームとを独立なものとし、再生用ビームによる再生信号のエンベロープ中間レベルおよびエッジ近傍の再生信号レベルとに基づいて、記録用ビームのパワーを制御するようにしている。特許文献４の装置では、第１のレーザ光によりディスクへの記録を行うとともに、記録された情報を第２のレーザ光により読み出すことにより得られたＲＦ信号のアシンメトリ値に基づいて第１のレーザ光のパワーを制御するようにしている。特許文献５には、異なる波長の光源を用いて記録再生を行う際に、ディスク反射率や最適レーザパワーが異なっても、サーボゲインの変動を自動的に補正する技術が開示されている。特許文献６には、記録光よりも波長が長い別の光を用いて最適のフォーカス制御を行う技術が開示されている。
【特許文献１】特開２００３−９９９７３号公報
【特許文献２】特開２００３−１２３２５４号公報
【特許文献３】特開平９−１６７３４６号公報
【特許文献４】特開２００１−３１２８２２号公報
【特許文献５】特開２００２−２６０２５０号公報
【特許文献６】特開２００４−４７１１５号公報
【発明の開示】
【発明が解決しようとする課題】
【０００４】
光記録装置において、記録中の光ディスクの記録特性を安定化するためには、記録用の光ビームのパワーを最適な値に制御する必要がある。このための方法としては、記録中の光ディスクからの反射光を光検出素子で検出し、その検出結果に基づいてレーザの出力を制御するランニングＯＰＣ（Optimum Power Control）が一般的である。従来のランニングＯＰＣでは、記録光がディスクで反射した反射光を利用しているが、記録中の反射光は、温度によるサーボ特性の変化や、レンズ収差およびビームの傾き等に影響されやすく、安定した検出が難しいという問題がある。
【０００５】
そこで、上記特許文献４のように、記録用の第１のレーザ光と、記録状態を読み取るための第２のレーザ光とを分け、第２のレーザ光に基づいて得られるアシンメトリ値を用いて第１のレーザ光のパワーを制御すれば、上述した問題を解消することができる。しかしながら、このようにした場合においても、以下のような問題がなお存在する。今、レーザ光源として例えば赤色ＬＤと青色ＬＤとを搭載したＤＶＤレコーダを例に挙げると、赤色ＬＤで記録したメディア（ＤＶＤ）の情報を青色ＬＤの光ビームで読み取る場合は、青色ＬＤの光ビームの径が小さいので、メディア上の１個１個の情報（記録マーク）を正確に読み取ることができ、再生信号からアシンメトリ情報を取得することができる。これに対して、青色ＬＤで記録したメディア（ブルーレイ・ディスク等）の情報を赤色ＬＤの光ビームで読み取る場合は、赤色ＬＤの光ビームの径が大きいので、分解能が低下してメディア上の１個１個の情報（記録マーク）を分離して読み取ることができなくなる。このため、正規の再生信号が得られなくなり、再生信号からのアシンメトリ情報の取得が不可能となる。その結果、青色ＬＤのレーザ光パワーを制御することができず、光ディスクへの記録特性が不安定となる問題がある。
【０００６】
本発明は、上述した課題を解決するものであって、その目的とするところは、２つの光源のいずれを用いて記録を行う場合でも、光パワーを適正に制御して安定した記録特性が得られる光記録装置を提供することを目的としている。
【課題を解決するための手段】
【０００７】
本発明に係る光記録装置は、光ディスクに対して光ビームを照射する第１の発光素子と、光ディスクに対して第１の発光素子とは異なる波長の光ビームを照射する第２の発光素子とを有する光記録装置であって、第１の発光素子の光ビームにより光ディスクに情報を記録する場合は、当該情報を記録した後、第２の発光素子の光ビームを光ディスクに照射して記録情報の後追い再生を行い、当該再生信号の平均値を検出して、この検出された平均値に基づいて第１の発光素子の光ビームのパワーを制御する。また、第２の発光素子の光ビームにより光ディスクに情報を記録する場合は、当該情報を記録した後、第１の発光素子の光ビームを光ディスクに照射して記録情報の後追い再生を行い、当該再生信号のエンベロープピーク値、エンベロープボトム値および平均値に基づいてアシンメトリ情報を算出し、この算出されたアシンメトリ情報に基づいて第２の発光素子の光ビームのパワーを制御する。
【０００８】
本発明の実施形態では、光ディスクに対して光ビームを照射する第１の発光素子と、光ディスクで反射した第１の発光素子の光ビームを検出する第１の光検出素子と、光ディスクに対して第１の発光素子とは異なる波長の光ビームを照射する第２の発光素子と、光ディスクで反射した第２の発光素子の光ビームを検出する第２の光検出素子と、第１の光検出素子の出力に基づいて得られる第１の再生信号のエンベロープピーク値を検出するピーク検出部と、第１の再生信号のエンベロープボトム値を検出するボトム検出部と、第１の再生信号の平均値を検出するとともに、第２の光検出素子の出力に基づいて得られる第２の再生信号の平均値を検出する平均値検出部と、ピーク検出部、ボトム検出部および平均値検出部からの各出力をＡ／Ｄ変換するＡ／Ｄ変換部と、Ａ／Ｄ変換部からの出力に基づいて、第１および第２の発光素子の光ビームのパワーを制御する制御手段とが設けられる。そして、第１の発光素子の光ビームにより光ディスクに情報を記録する場合は、当該情報を記録した後、第２の発光素子の光ビームを光ディスクに照射して記録情報の後追い再生を行い、第２の再生信号の平均値を平均値検出部により検出し、この検出された平均値に基づいて第１の発光素子の光ビームのパワーを制御手段が制御する。また、第２の発光素子の光ビームにより光ディスクに情報を記録する場合は、当該情報を記録した後、第１の発光素子の光ビームを光ディスクに照射して記録情報の後追い再生を行い、第１の再生信号のエンベロープピーク値、エンベロープボトム値および平均値をピーク検出部、ボトム検出部および平均値検出部によりそれぞれ検出し、この検出されたエンベロープピーク値、エンベロープボトム値および平均値に基づいて制御手段がアシンメトリ情報を算出し、この算出されたアシンメトリ情報に基づいて第２の発光素子の光ビームのパワーを制御する。
【０００９】
第１の発光素子で光ディスクに記録を行う場合に、第２の発光素子による後追い再生の信号が正確に得られずアシンメトリ情報の取得が不可能であっても、当該再生信号から平均値情報を得ることは可能であり、再生信号の平均値はディスク上の記録部位における反射率の程度を表すから、この平均値を用いることにより、第１の発光素子の光パワーを制御することができる。また、第２の発光素子で光ディスクに記録を行う場合は、第１の発光素子による後追い再生の信号が正確に得られ、アシンメトリ情報の取得が可能であるから、このアシンメトリ情報を用いることにより、第２の発光素子の光パワーを制御することができる。
【発明の効果】
【００１０】
このようにして、本発明によれば、２つの光源のいずれを用いて記録を行う場合でも、光パワーを適正に制御して安定した記録特性を得ることが可能となる。
【発明を実施するための最良の形態】
【００１１】
図１は、本発明の実施形態に係る光記録装置の構成を示した図である。この装置では、従来のＤＶＤ−ＲやＤＶＤ−ＲＡＭのような記録型のＤＶＤ（以下、単に「ＤＶＤ」と記す）と、ブルーレイ・ディスクやＨＤ−ＤＶＤ等のメディアとの両方に対して記録再生を行えるようになっている。なお、図１では本発明に関係する構成だけを図示してあり、その他の構成については図示を省略している。
【００１２】
１は記録メディアである光ディスク、２は光ディスク１を回転駆動するスピンドルモータ、２ａはスピンドルモータ２の回転軸である。１１は光ディスク１に対して青色レーザ光１３を照射する青色ＬＤ（レーザダイオード）、１２は青色ＬＤ１１からの青色レーザ光１３のパワーを制御する青色ＬＤパワー制御部である。青色レーザ光１３の波長は、例えば４０５ｎｍである。１４〜１６は光学部品であって、１４はコリメータレンズ、１５はビームスプリッタ、１６は対物レンズである。１８は青色光検出素子であって、光ディスク１で反射されビームスプリッタ１５で分岐した青色レーザ光１３の反射光１７を受光する。実際には、青色光検出素子１８は複数個のフォトダイオードからなる。１９は青色光検出素子１８の出力を増幅し、ＲＦ再生信号として青色光再生信号を出力するアンプである。なお、本装置では、２つの光ピックアップ（図示省略）が独立して設けられており、青色ＬＤ１１、光学部品１４〜１６および青色光検出素子１８は、一方の光ピックアップに搭載されている。
【００１３】
２１は光ディスク１に対して赤色レーザ光２３を照射する赤色ＬＤ（レーザダイオード）、２２は赤色ＬＤ２１からの赤色レーザ光２３のパワーを制御する赤色ＬＤパワー制御部である。赤色レーザ光２３の波長は、例えば６５０ｎｍである。２４〜２６は光学部品であって、２４はコリメータレンズ、２５はビームスプリッタ、２６は対物レンズである。２８は赤色光検出素子であって、光ディスク１で反射されビームスプリッタ２５で分岐した赤色レーザ光２３の反射光２７を受光する。実際には、赤色光検出素子２８は複数個のフォトダイオードからなる。２９は赤色光検出素子２８の出力を増幅し、ＲＦ再生信号として赤色光再生信号を出力するアンプである。赤色ＬＤ２１、光学部品２４〜２６および赤色光検出素子２８は、他方の光ピックアップに搭載されている。
【００１４】
３１はピーク検出部であって、アンプ１９から出力される青色光再生信号のエンベロープピーク値を検出する。３２はローパスフィルタからなる平均値検出部であって、アンプ１９から出力される青色光再生信号の平均値を検出するとともに、アンプ２９から出力される赤色光再生信号の平均値を検出する。３３はボトム検出部であって、アンプ１９から出力される青色光再生信号のエンベロープボトム値を検出する。３４はＡ／Ｄ変換部であって、ピーク検出部３１、平均値検出部３２、ボトム検出部３３からの各出力をＡ／Ｄ変換する。３５はＣＰＵであって、Ａ／Ｄ変換部３４からの出力に基づいて、青色ＬＤパワー制御部１２および赤色ＬＤパワー制御部２２に指令を送ることによりレーザ光１３、２３のパワーを制御する。ＣＰＵ３５と、青色ＬＤパワー制御部１２および赤色ＬＤパワー制御部２２とは、本発明における制御手段を構成する。
【００１５】
次に、上述した光記録装置の動作について説明する。まず、青色ＬＤ１１で光ディスク１へ記録を行い、赤色ＬＤ２１で記録状態を読み取る場合について述べる。記録時において、青色ＬＤ１１は、青色ＬＤパワー制御部１２からの出力に基づき、記録に必要なパワーの青色レーザ光１３を出力する。この青色レーザ光１３の照射を受けて、光ディスク１には所定の情報が記録される。なお、この記録時には、青色光検出素子１８が青色レーザ光１３の反射光１７を受光しても、アンプ１９から青色光再生信号が出力されないようになっている。
【００１６】
青色ＬＤ１１からの青色レーザ光１３で光ディスク１に情報が記録された直後または一定時間後に、記録に使用していない赤色ＬＤ２１により記録情報の後追い再生を行う。赤色ＬＤ２１は、赤色ＬＤパワー制御部２２からの出力に基づき、再生に必要なパワーの赤色レーザ光２３を出力する。このパワーは、記録時のパワーよりも小さく設定されている。赤色ＬＤ２１からの赤色レーザ光２３は光ディスク１の情報が記録された部分に照射され、その反射光２７が赤色光検出素子２８で受光される。赤色光検出素子２８からの受光出力はアンプ２９へ入力され、アンプ２９からは赤色光再生信号が出力される。
【００１７】
図２は、光ディスク１に青色ＬＤ１１により記録された情報を赤色ＬＤ２１の赤色レーザ光２３で読み取っている状態を示した図である。図２（ａ）は光ディスク１がＨＤ−ＤＶＤの場合であって、光ディスク１の凹部１ａと凸部１ｂには青色ＬＤ１１の青色レーザ光１３（図１）による記録情報であるマークｍが形成されている。ＨＤ−ＤＶＤでは、トラックピッチｙは規格によりｙ＝０．６８μｍとなっている。また、赤色ＬＤ２１の赤色レーザ光２３のスポット半値径ｄは、ｄ＝０．６μｍとなっている。図２（ｂ）は光ディスク１がブルーレイ・ディスクの場合であって、光ディスク１の凸部１ｂに青色ＬＤ１１の青色レーザ光１３（図１）による記録情報であるマークｍが形成されている。ブルーレイ・ディスクでは、トラックピッチｙは規格によりｙ＝０．３２μｍとなっている。また、赤色ＬＤ２１の赤色レーザ光２３のスポット半値径ｄは、上述したようにｄ＝０．６μｍである。
【００１８】
図２からわかるように、青色レーザ光により記録されたマークｍを赤色レーザ光２３で読み取って後追い再生を行う場合は、隣接するマークｍの間隔に比べて赤色レーザ光２３のスポット半値径ｄが大きいため、読み取りの分解能が低下する。更に、隣接するマークのクロストークの影響により、再生信号は図５（ａ）に示した正規のＲＦ再生信号とはならず、図５（ｂ）に示したようなぼやけた信号となる。このため、エンベロープを検出できるレベルの再生信号が得られず、エンベロープ検出に基づいてアシンメトリ情報を取得することが不可能となる。
【００１９】
しかしながら、赤色レーザ光２３による再生信号が正確に得られず、アシンメトリ情報の取得が不可能であっても、図５（ｂ）の再生信号から平均値情報を得ることは可能である。この再生信号の平均値は、光ディスク１上のマークｍの記録部位における反射率の程度を表す。すなわち、図３（ａ）に示すように、記録されたマークｍが小さい場合は、ディスクの平均反射率が大きくなり、赤色レーザ光２３の反射光量が増えるので、赤色光検出素子２８で検出される信号のレベルは大きくなる。したがって、アンプ２９から出力される赤色光再生信号を、ローパスフィルタからなる平均値検出部３２によって平滑化することにより、図３（ｂ）に示すような信号レベルの大きい平均値検出信号を得ることができる。一方、図３（ｃ）に示すように、記録されたマークｍが大きい場合は、ディスクの平均反射率が小さくなり、赤色レーザ光２３の反射光量が減るので、赤色光検出素子２８で検出される信号のレベルは小さくなる。したがって、アンプ２９から出力される赤色光再生信号を、ローパスフィルタからなる平均値検出部３２によって平滑化することにより、図３（ｄ）に示すような信号レベルの小さい平均値検出信号を得ることができる。
【００２０】
このようにして、アンプ２９から出力される赤色光再生信号を平均値検出部３２に与えることにより、再生信号の平均値情報が得られるので、この平均値情報をＡ／Ｄ変換部３４でデジタル値に変換し、この値をＣＰＵ３５に送ることによって、ＣＰＵ３５は、当該再生信号の平均値に応じて青色レーザ光１３のパワーが適正となるように、青色ＬＤパワー制御部１２を制御する。すなわち、図３（ｂ）のように平均値が規定値より大きい場合は、記録されるマークｍが規定サイズより小さく、青色レーザ光１３のパワーが不足しているので、パワーを上げるように青色ＬＤパワー制御部１２を制御する。また、図３（ｄ）のように平均値が規定値より小さい場合は、記録されるマークｍが規定サイズより大きく、青色レーザ光１３のパワーが過剰であるので、パワーを下げるように青色ＬＤパワー制御部１２を制御する。これによって、再生信号の平均値を用いて青色レーザ光１３のパワーを最適に制御することができる。
【００２１】
次に、赤色ＬＤ２１で光ディスク１へ記録を行い、青色ＬＤ１１で記録状態を読み取る場合について述べる。記録時において、赤色ＬＤ２１は、赤色ＬＤパワー制御部２２からの出力に基づき、記録に必要なパワーの赤色レーザ光２３を出力する。この赤色レーザ光２３の照射を受けて、光ディスク１には所定の情報が記録される。なお、この記録時には、赤色光検出素子２８が赤色レーザ光２３の反射光２７を受光しても、アンプ２９から赤色光再生信号が出力されないようになっている。
【００２２】
赤色ＬＤ２１からの赤色レーザ光２３で光ディスク１に情報が記録された直後または一定時間後に、記録に使用していない青色ＬＤ１１により記録情報の後追い再生を行う。青色ＬＤ１１は、青色ＬＤパワー制御部１２からの出力に基づき、再生に必要なパワーの青色レーザ光１３を出力する。このパワーは、記録時のパワーよりも小さく設定されている。青色ＬＤ１１からの青色レーザ光１３は光ディスク１の情報が記録された部分に照射され、その反射光１７が青色光検出素子１８で受光される。青色光検出素子１８からの受光出力はアンプ１９へ入力され、アンプ１９からは青色光再生信号が出力される。
【００２３】
図４は、光ディスク１に赤色ＬＤ２１により記録された情報を青色ＬＤ１１の青色レーザ光１３で読み取っている状態を示した図である。図４において、光ディスク１はＤＶＤであって、凹部１ａと凸部１ｂには赤色ＬＤ２１の赤色レーザ光２３（図１）による記録情報であるマークｍが形成されている。ＤＶＤの場合は、トラックピッチｙは規格によりｙ＝０．７４μｍとなっている。また、青色ＬＤ１１の青色レーザ光１３のスポット半値径ｄは、ｄ＝約０．３μｍである。
【００２４】
図４からわかるように、赤色レーザ光により記録されたマークｍを青色レーザ光１３で読み取って後追い再生を行う場合は、青色レーザ光１３のスポット半値径ｄが小さいため、読み取りの分解能が低下せず、隣接するマークのクロストークの影響を受けない。このため、再生信号は図５（ａ）に示した正規のＲＦ再生信号となり、エンベロープを検出できるレベルの再生信号が得られ、エンベロープ検出に基づいてアシンメトリ情報を取得することができる。アシンメトリ値は、最小長の記録マークから得られる信号（３Ｔ信号）の振幅中心と、最大長の記録マークから得られる信号（１４Ｔ信号）の振幅中心とのずれの程度を表すもので、再生信号のエンベロープのピーク値およびボトム値と、再生信号の平均値を用いて算出することができる。記録パワーが不足している場合は、短いマークが規定サイズより小さめに形成されるのでアシンメトリ値は下がり、記録パワーが過剰な場合は、短いマークが規定サイズより大きめに形成されるのでアシンメトリ値は上がる。
【００２５】
したがって、アンプ１９から出力される青色光再生信号を、ピーク検出部３１に与えて再生信号のエンベロープピーク値を検出し、ボトム検出部３３に与えて再生信号のエンベロープボトム値を検出し、平均値検出部３２に与えて平均値を検出し、これらの検出信号をＡ／Ｄ変換部３４でＡ／Ｄ変換した後、ＣＰＵ３５に送ることによって、ＣＰＵ３５においてアシンメトリ値を算出することができる。ＣＰＵ３５は、算出したアシンメトリ値に応じて赤色レーザ光２３のパワーが適正となるように、赤色ＬＤパワー制御部２２を制御する。すなわち、アシンメトリ値が規定値より低く赤色レーザ光２３の記録パワーが不足している場合は、パワーを上げるように赤色ＬＤパワー制御部２２を制御する。また、アシンメトリ値が規定値より高く赤色レーザ光２３の記録パワーが過剰である場合は、パワーを下げるように赤色ＬＤパワー制御部２２を制御する。これによって、再生信号のアシンメトリ値を用いて赤色レーザ光２３のパワーを最適に制御することができる。
【００２６】
以上述べた実施形態では、波長の異なるレーザ光源として、青色レーザダイオード１１と赤色レーザダイオード２１とのペアを用いた例を挙げたが、本発明はこれに限らず、例えば赤色レーザダイオードと赤外線レーザダイオードとのペアを用いた場合にも適用することができる。
【００２７】
また、上記実施形態においては、青色レーザダイオード１１と赤色レーザダイオード２１とを別個の光ピックアップに搭載した例を挙げたが、両レーザダイオードを共通の光ピックアップに搭載してもよい。
【００２８】
また、上記実施形態においては、光ディスクとしてブルーレイ・ディスク、ＨＤ−ＤＶＤおよび記録型ＤＶＤを例に挙げたが、本発明は、記録型ＣＤに情報を記録する場合にも適用することができる。
【００２９】
さらに、上記実施形態においては、波長の異なる光源を２つ搭載した装置を例に挙げたが、本発明は波長の異なる光源を３つ以上搭載した装置にも適用が可能である。
【００３０】
なお、記録時の光源と異なる光源を用いて再生を行う場合（例えば青色光源を搭載した光ピックアップでＤＶＤを再生する場合）は、特にトラッキングサーボが不安定となるが、この場合はフォーカスサーボのみを実施することで、平均値情報およびアシンメトリ情報を検出することも可能である。
【図面の簡単な説明】
【００３１】
【図１】本発明の実施形態に係る光記録装置の構成を示した図である。
【図２】光ディスクに青色レーザ光で記録された情報を赤色レーザ光で読み取っている状態を示した図である。
【図３】赤色レーザ光による再生信号の平均値を説明する図である。
【図４】光ディスクに赤色レーザ光で記録された情報を青色レーザ光で読み取っている状態を示した図である。
【図５】青色光再生信号と赤色光再生信号を示す図である。
【符号の説明】
【００３２】
１    光ディスク
１１  青色ＬＤ
１２  青色ＬＤパワー制御部
１３  青色レーザ光
１８  青色光検出素子
１９  アンプ
２１  赤色ＬＤ
２２  赤色ＬＤパワー制御部
２３  赤色レーザ光
２８  赤色光検出素子
２９  アンプ
３１  ピーク検出部
３２  平均値検出部
３３  ボトム検出部
３４  Ａ／Ｄ変換部
３５  ＣＰＵ
ｍ    記録マーク
【図１】
2006066032.tif 000003
【図２】
2006066032.tif 000004
【図３】
2006066032.tif 000005
【図４】
2006066032.tif 000006
【図５】
2006066032.tif 000007